(57)【要約】【課題】  本発明は液体化粧料用容器に係り、さらに詳しくは簡単な構造でアイライナーなどの液体化粧料の貯留量を増やし、さらに液体化粧料の供給性に優れる液体化粧料用容器に関する。本発明に係る液体化粧料容器は、液体化粧料容器からシュノーケルを排除して、液体貯留部の内容積を大きく確保できるようにし、かつ中継芯の長さを短くすることで、ペン先への液体化粧料の供給性能を向上させ、化粧用具としての使用性に優れた液体化粧料容器を提供できるという優れた効果を発揮する。【解決手段】化粧料容器内のペン先と液体貯留部間にシュノーケルを設けることなく第１のプラグで支持されるように中継芯を配設し、この中継芯の液体貯留部内への突出長を１〜５ミリメートルに構成したことを特徴とする液体化粧料容器である。【選択図】      図１
2020062182.tif 000002
【特許請求の範囲】
【請求項１】
化粧料容器内のペン先と液体貯留部間にシュノーケルを設けることなく第１のプラグで支持されるように中継芯を配設し、この中継芯の液体貯留部内への突出長を１〜５ミリメートルに構成したことを特徴とする液体化粧料容器。
【請求項２】
化粧料容器内のプラグ設置位置のペン先側において、液体吸蔵部材を中継芯に巻設したことを特徴とする請求項１記載の液体化粧料容器。
【請求項３】
液体吸蔵部材がスポンジ又は繊維集合体であることを特徴とする請求項1又は２記載の液体化粧料容器。
【請求項４】
液体吸蔵部材のペン先側端部に、第２のプラグを形成したことを特徴とする請求項1乃至３のいずれかに記載の液体化粧料容器。
【発明の詳細な説明】
【技術分野】
【０００１】
本発明は液体化粧料用容器に係り、さらに詳しくは簡単な構造でアイライナーなどの液体化粧料の貯留量を増やし、さらに液体化粧料の供給性に優れる液体化粧料用容器に関する。
【背景技術】
【０００２】
従来から筆型の化粧料容器でアイライナーなどの化粧品を塗布する液体化粧料容器が知られている。
この液体化粧料容器は、図３に示すように液体化粧料容器１０内に液体貯留部1を形成し、この液体貯留部1とペン先２の間に中継芯３を介在させ、中継芯３の根元部を液体貯留部1内に位置させ、中継芯３の先端部を塗布部となるペン先２に臨ませ、適量の液体化粧料を継続的に、かつ円滑にペン先２に供給する構成であった。
【０００３】
さらに中継芯３を安定的に保持するために、液体貯留部１の端部にプラグ５と称せられる、中継芯３と直交する方向に液体化粧料容器１０を横断して液体貯留部１内の液体化粧料がペン先方向に不用意に漏れることを防止すると同時に、液体貯留部１から排出された液体化粧料量に対応して置換的に外気を導く際のエア通路を形成するという役目も果たすための仕切り板状部材が設けられており、このプラグ５は液体貯留部１のペン先２側端部位置に設けられていた。
【０００４】
またプラグ５と液体貯留部１間の仕切りの確保と、中継芯３への過剰な液体化粧料の供給事故を防止する目的で、シュノーケル１１と称せられる中継芯３を被覆する樹脂部材が設けられていた。
【先行技術文献】
【特許文献】
【０００５】
【特許文献１】実公平５−３３４３号公報
【発明の開示】
【発明が解決しようとする課題】
【０００６】
本発明の液体化粧料用容器１０は、従来の液体化粧料用容器がシュノーケル１１を備えるものであったことに起因して、シュノーケル１１の容積分だけ液体貯留部１の内容積が小さくなることと、さらにはシュノーケル１１の長さ以上に中継芯３を長く伸長させなければ、中継芯が液体化粧料を吸収してペン先２へ液体化粧料を供給できないため、中継芯３の長さは必然的に長くなるという問題点があった。
【０００７】
本発明は、液体化粧料容器１０からシュノーケル１１を排除して、液体貯留部１の内容積を大きく確保できるようにし、かつ中継芯３の長さを短くすることで、ペン先２への液体化粧料の供給性能を向上させようとするものである。
【課題を解決するための手段】
【０００８】
上記目的を達成するために、請求項１記載の発明は、化粧料容器内のペン先と液体貯留部間にシュノーケルを設けることなく第１のプラグで支持されるように中継芯を配設し、この中継芯の液体貯留部内への突出長を１〜５ミリメートルに構成したことを特徴とする液体化粧料容器である。
【０００９】
請求項２は、化粧料容器内のプラグ設置位置のペン先側において、液体吸蔵部材を中継芯に巻設したことを特徴とする請求項１記載の液体化粧料容器である。
【００１０】
請求項３は、液体吸蔵部材がスポンジ又は繊維集合体であることを特徴とする請求項1又は２記載の液体化粧料容器である。
【００１１】
請求項４は、液体吸蔵部材のペン先側端部に、第２のプラグを形成したことを特徴とする請求項1乃至３のいずれかに記載の液体化粧料容器である。
【発明の効果】
【００１２】
上記した請求項１に係る液体化粧料容器は、液体化粧料容器からシュノーケルを排除して、液体貯留部の内容積を大きく確保できるようにし、かつ中継芯の長さを短くすることで、ペン先への液体化粧料の供給性能を向上させ、化粧用具としての使用性に優れた液体化粧料容器を提供できるという優れた効果を発揮する。
【００１３】
また請求項２に係る液体化粧料容器は、液体吸蔵部材を中継芯に巻設したため、中継芯内の液体化粧料の含有状況が多すぎる場合は、液体化粧料を液体吸蔵部材に保持させることができ、一方中継芯内の液体化粧料の含有状況が少なすぎる場合には、液体貯留部からの供給に加えて液体吸蔵部材からも併せて液体化粧料を補充的に供給することができるため、使用性が一層向上するという効果を発揮する。
【００１４】
さらに請求項３に係る液体化粧料容器は、液体吸蔵部材がスポンジ又は繊維集合体であるため、液体吸蔵部材の容器への取り付けが容易となり、液体化粧料の吸引や排水のための給水が確実かつ容易に行える効果がある。
【００１５】
ついで請求項４に係る液体化粧料容器は、液体吸蔵部材のペン先側端部に、第２のプラグを形成したので、液体吸蔵部材が一層円滑な給水効果に貢献できるという効果がある。
【図面の簡単な説明】
【００１６】
【図１】本発明に係る液体化粧料容器の組立状態の縦断正面図である。
【図２】第1プラグの中継芯を挿通させる孔部の形状を複数異なる形態にしたものを示した正面図である。
【図３】従来の液体化粧料容器の組立状態の縦断正面図である。
【発明を実施するための形態】
【００１７】
以下添付図面に基づいて、本発明に係る液体化粧料容器の一実施の形態を詳説する。
まず図１に示すように、本発明に係る液体化粧料容器１０は、アイライナーなどの化粧料である液体化粧料を貯留するための液体貯留部１と、この液体貯留部1内の液体化粧料をペン先２に供給するための中継芯３とで構成されている。
【００１８】
ここで液体貯留部１の後端は、尾栓４で仕切られ、液体貯留部１の先端は、第１のプラグ６で仕切られている。このため、液体貯留部１は液体化粧料容器１０の円柱状側壁と、尾栓４と第１のプラグ６とで仕切られる状態で液密状に形成され、その内部には液体化粧料が充填されることとなる。
【００１９】
液体貯留部１内の液体化粧料は、液体貯留部１内に延伸している中継芯３内を浸透して、中継芯３の先端が対面状に臨んでいるペン先２に導かれ、ペン先２に適量の液体化粧料を継続的に供給し、使い勝手の良い液体化粧料容器を実現している。
本発明の液体化粧料容器１０には、従来存在していたシュノーケル１１が存在せず、その結果中継芯３の液体貯留部１内への突出長を１〜５ミリメートルと極めて短い寸法とすることが可能となった。
【００２０】
実施例１
中継芯が液体貯留部内へ突出するときの突出長を、０〜６ミリメートル（ｍｍ）の間で１ミリメートル単位で変化させ、各寸法ごとの液体化粧料の供給の状態の変化を調べた。
中継芯の素材や構成は、従来からこの種の液体化粧料容器で使用されている一般的なものを使用した。
その各寸法ごとの変化の状況は、表１に示す結果となった。
【００２１】
【表１】
2020062182.tif 000003
【００２２】
上記の結果から、中継芯３の突出長が０ミリメートルの場合には、液体化粧料の供給に不足を感じさせる問題点が認められたが、１ミリメートル以上の場合には、この問題点が解消されていることが判明した。
【００２３】
そのため、中継芯３の突出長は１ミリメートル以上であれば問題が起こらず、その突出長の上限はないこととなる。ただし、必要以上に長くする必要もないため、従来との比較から突出長は５ミリメートルよりも短いことが望ましいと考えられる。シュノーケル１１を備えた液体化粧料容器の場合には、どんなに短いものであっても、１０ミリメートルの突出長が認められていた。
【００２４】
ついで図２の２Ａ，２Ｂ，２Ｃ，２Ｄ，２Ｅ，２Ｆ，２Ｇは、第１プラグ６の孔部１２の形状を変化させた状態の変形例を示すもので、２Ａは、孔部１２が円形で貫通しないスリット９が形成されたもの、２Ｂは、孔部１２が円形で貫通したスリット９が形成されたもの、２Ｃは、孔部１２が４角形のもの、２Ｄは、孔部１２が５角形のもの、２Ｅは、孔部１２が６角形のもの、２Ｆは、孔部１２が７角形のもの、２Ｇは、孔部１２が８角形のものである。
【００２５】
本発明の第１プラグ６は、従来から使用されているプラグ５と同様の働きをするもので、中継芯３と直交する方向に液体化粧料容器１０を横断して液体貯留部１内の液体化粧料がペン先方向に不用意に漏れることを防止すると同時に、液体貯留部１から排出された液体化粧料量に対応して置換的に外気を導く際のエア通路を形成するという役目も果たすための仕切り板状部材であり、第１プラグ６の孔部１２には中継芯３が挿通される。
【００２６】
本発明の液体化粧料容器１０には、第１プラグ６のペン先側に液体吸蔵部材８が巻設されており、中継芯３の第１プラグ６を越えた個所で中継芯に過剰の液体化粧料が浸透したような場合に、その液体化粧料があふれ出ることを防止するために、液体吸蔵部材８が過剰な液体化粧料を一時的に保管する作用を果たすものである。
この液体吸蔵部材８は、素材は特に制限されることはないが、液体吸蔵部材がスポンジ又は繊維集合体であると、液体吸蔵部材の容器への取り付けが容易となる上、液体化粧料の吸引や排水のための給水が一層確実かつ容易に行える効果がある。
【００２７】
さらに、この液体吸蔵部材８のペン先側には、必要に応じて第２のプラグ７を設けることができ、この第２のプラグ７の構造や作用は、前記した第１のプラグ６と同様である。
【産業上の利用可能性】
【００２８】
本発明は、液体化粧料容器を使用したり製造したりする産業において利用される。
【符号の説明】
【００２９】
１…液体貯留部
２…ペン先
３…中継芯
４…尾栓
５…プラグ
６…第１のプラグ
７…第２のプラグ
８…液体吸蔵部材
９…スリット
１０…液体化粧料容器
１１…シュノーケル
【図１】
2020062182.tif 000004
【図２】
2020062182.tif 000005
【図３】
2020062182.tif 000006